(57)【特許請求の範囲】
【請求項１】
フィルム処理装置の所定位置に配設された空のフィルムカートリッジに対し、フィルム端部をアタッチツールに係止して前記カートリッジ内に挿入し、このフィルム端部をカートリッジ内に設けたスプール軸のフィルム係止突起とこのフィルム係止突起の上方に形成したフィルム押えとの間に位置させた後に、アタッチツールをカートリッジから後退させ、スプール軸をフィルムの巻取り方向とは逆方向に回転変位させフィルム押えの根元部分でフィルム端部を押さえて、スプール軸のフィルム係止突起に前記フィルム端部に形成した係止穴を係止させるようにしたことを特徴とするフィルムカートリッジ内へのフィルム係止方法。
【発明の詳細な説明】
【０００１】
【発明の属する技術分野】
本発明は、新規格フィルムであるＡＰＳ（Ａｄｖａｎｃｅｄ Ｐｈｏｔｏ Ｓｙｓｔｅｍの略）フィルム等を処理する各種の装置において、装置内の所定位置に配設された空のカートリッジにフィルムを戻す場合に有効なフィルムカートリッジ内へのフィルム係止方法に関する。
【０００２】
【従来の技術】
従来から前記ＡＰＳフィルムを処理する装置として各種の装置が開発されている。例えば図７に示すようなフィルム現像処理装置１は、未現像フィルムを巻回した複数のカートリッジ２を収納ケース３に収納して装置１の右端にセットし、この収納ケース３のカートリッジ２に巻回収納された未現像フィルムを引出し装置４で引き出して巻換カートリッジ５に巻き換え、この巻換カートリッジ５に巻き換えられた未現像フィルムの端部にショートリーダー６に掛止して現像処理部７に搬送し、現像処理したフィルム８をショートリーダー６から切り離し、この現像処理したフィルム８の端部を、未現像フィルムを取り出した空のカートリッジ２ａ内のスプール軸９にアタッチツール１０によって係止し、このスプール軸９を回転させて現像済フィルム８をカートリッジ２ａ内に巻回収納する構成のものである。
【０００３】
そして、前記のカートリッジ２ａ（２）には、図８に示すようなスプール軸９が回動可能なように内設されている。このスプール軸９には、所定間隔を以て１対のフィルム係止突起１１が形成され、この各フィルム係止突起１１を上方から被うようにしてフィルム押え１２が形成されている。
【０００４】
また、図１０に示すようにフィルム８の端部８ａには、中央部に図１１に示すアタッチツール１０の先端の爪１３を係止するための穴１４が穿設され、この穴１４の両側には前記スプール軸９の両フィルム係止突起１１を係止する係止穴１５が穿設されている。
【０００５】
前記のアタッチツール１０によって空のカートリッジ２ａ内のスプール軸９にフィルム８の端部８ａを係止する場合は、アタッチツール１０の先端の爪１３でフィルム８の端部８ａの穴１４を引っ掛けてカートリッジ２ａ内に挿入し、アタッチツール１０をカートリッジ２ａから引き抜くとフィルム８だけがカートリッジ２ａ内に残り、スプール軸９を反時計方向に回転させることによりフィルム８の穴１４がスプール軸９のフィルム係止突起１１に引っ掛かり（図１〜図４参照）、フィルム８はスプール軸９を回転させることにより巻き取られてカートリッジ２ａに収納される。
【０００６】
【発明が解決しようとする課題】
スプール軸９に形成されたフィルム押え１２が図８に示すような正常な状態の場合は、フィルム８の係止穴１５にスプール軸９のフィルム係止突起１１は引っ掛かるが、フィルム押え１２が図９に示すように大きく反ってしまった場合は前記係止穴１５にフィルム係止突起１１が引っ掛からなくなる（図９はかなり温度の高い場所に置かれた場合などの時になり易い）。そのため、フィルム８を巻き込む為にスプール軸９が回転を始めても、フィルム８がスプール軸９に巻き取られないことがあった。
【０００７】
本発明はこのような点に鑑みて開発したものであり、その目的とするところは、カートリッジのスプール軸のフィルム押えが反って通常ではフィルムが巻き取れないような状態の場合でも、確実にフィルム端部をスプール軸に係止して巻き取れるようにしたフィルムカートリッジ内へのフィルム係止方法を提供することにある。
【０００８】
【課題を解決するための手段】
そこで、本発明は前記目的を有効に達成するために、次のような構成にしてある。すなわち、フィルム処理装置の所定位置に配設された空のフィルムカートリッジに対し、フィルム端部をアタッチツールに係止して前記カートリッジ内に挿入し、このフィルム端部をカートリッジ内に設けたスプール軸のフィルム係止突起とこのフィルム係止突起の上方に形成したフィルム押えとの間に位置させた後に、アタッチツールをカートリッジから後退させ、スプール軸をフィルムの巻取り方向とは逆方向に回転変位させフィルム押えの根元部分でフィルム端部を押さえて、スプール軸のフィルム係止突起に前記フィルム端部に形成した係止穴を係止させるようにした構成にしてある。
【０００９】
【発明の実施の形態】
以下、本発明の実施の形態について説明する。本発明に係るフィルムカートリッジ内へのフィルム係止方法は、現像処理したフィルムを元の空のカートリッジ内に巻取り収納する場合において、カートリッジに内設したスプール軸にフィルムを係止する方法である。
【００１０】
すなわち、前記した図７に示すような例えばフィルム現像処理装置１の左端上部に配設した空のフィルムカートリッジ２ａに対し、フィルムカートリッジ２ａの下方に設けたアタッチツール１０を反時計方向に回転変位させて、アタッチツール１０の爪１３（図１１参照）を現像済フィルム８の端部８ａ（図１０参照）に穿設した穴１４に引っ掛け（図１、図２参照）、この爪１３とともにフィルム端部８ａをカートリッジ２ａ内に挿入する（図３参照）。
【００１１】
この時、現像済フィルム８の端部８ａは、アタッチツール１０の爪１３に案内されて、カートリッジ２ａに回動可能に内設されたスプール軸９のフィルム係止突起１１とこのフィルム係止突起１１の上方に形成したフィルム押え１２との間に位置する。
【００１２】
次に前記アタッチツール１０を時計方向に回転変位させて後退させることにより、現像済フィルム８の端部８ａだけが前記フィルム係止突起１１とフィルム押え１２との間に残る（図４参照）。
【００１３】
次にスプール軸９を９０°位、時計方向（フィルムの巻取り方向とは逆方向）に回転変位させる（図５参照）。このことによりフィルム押え１２の根元部分１２ａ（図８）はフィルム押え１２が図９のように反っても拡がることがないので、現像済フィルム８の端部８ａはこの根元部分１２ａで押さえつけられ、スプール軸９のフィルム係止突起１１に現像済フィルム８の端部８ａに穿設した係止穴１５が引っ掛かることになる。このようにして現像済フィルム８の端部８ａはカートリッジ２ａ内のスプール軸９に係止することができる。
【００１４】
さらに、この現像済フィルム８を引く方向に軽い張力をかけながらスプール軸９を反時計方向に回転させる（図６参照）。このことにより現像済フィルム８は、端部８ａの係止穴１５をスプール軸９のフィルム係止突起１１に引っ掛けられた状態で巻き取られ、スプール軸９が１回転すると前記張力を無くして巻取り負荷を軽減させる。
【００１５】
【発明の効果】
このように本発明のフィルムカートリッジ内へのフィルム係止方法では、カートリッジのスプール軸のフィルム押えが反って通常ではフィルムを巻き取ることができないような場合でも、確実にフィルム端部をスプール軸のフィルム係止突起に引っ掛けて巻き取ることができるため、カートリッジからフィルムを引き出し、現像処理した後に再び元の空のカートリッジに現像済フィルムを戻すといったことを自動的に行う場合に、スプール軸のフィルム押えの反りによってフィルムを上手く巻き取ることができずに装置の作動を止めてしまうといったことがなく、効率良く作業を行うことができる。
【図面の簡単な説明】
【図１】本発明に係るカートリッジとアタッチツールとフィルムとの関係を示す説明図である。
【図２】本発明に係るアタッチツールでフィルムを引っ掛けた状態を示す説明図である。
【図３】本発明に係るアタッチツールでフィルムを引っ掛けてカートリッジ内に挿入した状態を示す説明図である。
【図４】本発明に係るカートリッジのスプール軸の所定位置に配されたフィルムの状態を示す説明図である。
【図５】本発明に係スプール軸を時計方向に回転させた状態を示す説明図である。
【図６】本発明に係スプール軸を反時計方向に回転させた状態を示す説明図である。
【図７】本発明に係るフィルム自動現像装置の一例を示す説明図である。
【図８】本発明に係る正常のスプール軸の斜視図である。
【図９】本発明に係るスプール軸のフィルム押えが反った状態を示す斜視図である。
【図１０】本発明に係るフィルムの端部を示す平面図である。
【図１１】本発明に係るアタッチツールの簡略斜視図である。
【符号の説明】
１      フィルム現像処理装置
２       フィルムカートリッジ
２ａ     空のカートリッジ
１０     アタッチツール
８ａ     フィルム端部
９       スプール軸
１１     フィルム係止突起
１２     フィルム押え
１２ａ   根元部分
１５     係止穴
【図１】
0003593806.tif 000002
【図２】
0003593806.tif 000003
【図３】
0003593806.tif 000004
【図４】
0003593806.tif 000005
【図５】
0003593806.tif 000006
【図６】
0003593806.tif 000007
【図７】
0003593806.tif 000008
【図８】
0003593806.tif 000009
【図９】
0003593806.tif 000010
【図１０】
0003593806.tif 000011
【図１１】
0003593806.tif 000012